(57)【要約】【課題】棒状化粧品収納容器の摺動部材をラセン部材に係止させることで、ハカマ部材をセットする以前に繰り出しトルクを確認でき、棒状化粧品の繰り出しトルクを安定させることができるので、容器組立の無駄がなくなる。【解決手段】繰り出しトルクを安定させるため、下部は前記ラセン部材の係止突片に係止され上部内面は内筒部材の外周面を摺接する筒状の軟質材によって成形された摺動部材を使用することで、摺動部材がラセン部材と内筒部材の回動にブレーキを掛けることができるようにする。【選択図】図１
2007175285.tif 000002
【特許請求の範囲】
【請求項１】
筒状に形成され下方部には軸芯方向の切り割り溝が形成された内筒部材と、この内筒部材の下部の切り割り溝と対応する部位を回動可能に覆い内面にはラセン溝が形成されたラセン部材と、このラセン部材の上端部より上方に突出するように一体に形成され前記内筒部材とラセン部材を抜け出し不能にする複数個の係止突片と、棒状化粧品を収納し前記内筒部材内に上下移動可能に取り付けられた皿部材と、この皿部材の下方に形成された前記内筒部材の切り割り溝およびラセン部材のラセン溝と係合し皿部材を上下移動させることのできる係合ピンと、上部に蓋嵌合部が形成されラセン部材の外周部を抜け出し不能に覆うハカマ部材と、下部は前記ラセン部材の係止突片に係止され上部内面は内筒部材の外周面を摺接する筒状の軟質材によって成形された摺動部材とから構成される口紅等の収納容器。
【請求項２】
摺動部材はラセン部材の係止突片に回動不能に係止されていることを特徴とする請求項１記載の口紅等の収納容器。
【発明の詳細な説明】
【技術分野】
【０００１】
本発明は、口紅等の繰り出し式棒状化粧品収納容器に関するものである。
【背景技術】
【０００２】
従来口紅等の収納容器は、筒状に形成され下方部には軸芯方向の切り割り溝が形成された内筒部材と、この内筒部材の下部の切り割り溝と対応する部位を回動可能に覆い内面にはラセン溝が形成されたラセン部材と、このラセン部材の上端部より上方に突出するように一体に形成され前記内筒部材とラセン部材を抜け出し不能に係止する複数個の係止突片と、棒状化粧品を収納し前記内筒部材内に上下移動可能に取り付けられた皿部材と、この皿部材の下方に形成された前記内筒部材の切り割り溝およびラセン部材のラセン溝と係合し皿部材を上下移動させることのできる係合ピンと、上部に蓋嵌合部が形成されラセン部材の外周部を抜け出し不能に覆うハカマ部材とで構成されていた。
【０００３】
しかし、このように構成された従来の口紅等の収納容器は、内蔵された棒状化粧品を繰り出すために内筒部材とハカマ部材を回動させるが、その繰り出しトルクの管理が難しという欠点があった。
【０００４】
そのため従来はこのように構成された口紅等の収納容器では繰り出しトルクをスムーズにする手段として、ゴム製のＯリング、あるいは軟質プラスチック材で成形された摺動部材を内筒部材とハカマ部材の間、あるいは内筒部材とラセン部材の間に挿入し、摺動部材を径方向に圧迫することで、内筒部材の回動にブレーキを掛けて繰り出しトルクを安定させる、という手段が用いられてるもので、いずれの場合も摺動部材はラセン部材に係止されるものではなかった。
【０００５】
さらに摺動部材としてゴム製のＯリングを内筒部材とハカマ部材の間に挿入する場合には、Ｏリングは線形１ｍｍ程度と細いものであり棒状化粧品収納容器の内部でよじれてしまいやすいものであるから、それを防止するために実開平４-２８８１７号に示されるように溝を形成してその溝にＯリングを収納するなどしてよじれてしまわぬようにする手段が必要であったが、このようなＯリングを収納する溝を設計、加工するには手間がかかるものであり、またデザインを束縛するような問題も発生するものであった。
【０００６】
また、摺動部材として軟質プラスチック材で成形された部材を内筒部材とハカマ部材の間に挿入する場合には、繰り出し式棒状化粧品収納容器を組み立てる際に、摺動部材の効果の確認するためには内筒部材、皿部材、ラセン部材、摺動部材をセットしただけでは摺動部材の効果を確認することができず、ハカマ部材をセットしてからでなければその効果が確認できないものであり、繰り出しトルクを安定させるという効果の確認に手間がかかるものであった。
【０００７】
また、摺動部材を内筒部材とラセン部材の間に挿入する場合には、摺動部材の厚みだけラセン部材が太くなってしまい、それにともなって外筒部材も太くなってしまうことでデザイン的に見苦しいものになってしまうという欠点があった。
【０００８】
この改善策として、本願出願人が先に出願した特願２００３-８７０９１号（特開２００４−２９０４２４号）のようにリング部材をラセン部材の突片に覆い被さるように取り付けるという手段もあるが、この特願２００３-８７０９１号の発明では内筒部材の外周面を摺接する筒状の軟質材によって成形された摺動部材ではなく、繰り出しトルクを安定させるものにはならない。
【特許文献１】実開平４-２８８１７号
【特許文献２】特開２００４−２９０４２４号公報
【発明の開示】
【発明が解決しようとする課題】
【０００９】
本発明は以上のような従来の欠点に鑑み、摺動部材は下部がラセン部材の係止突片に係止され上部内面は内筒部材の外周面を摺接するものであるから、内筒部材、皿部材、ラセン部材、摺動部材をセットしただけでその効果が確認できるものであり、軟質材によって成形された摺動部材がよじれてしまうことがなく、またハカマ部材をセットしてからでなければその効果が確認できないものでもなく、さらにデザイン的に見苦しいものになってしまうことのない口紅等の収納容器を提供することを目的としている。
【００１０】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【００１１】
上記課題を解決するため本発明は、繰り出しトルクを安定させるため、下部は前記ラセン部材の係止突片に係止され上部内面は内筒部材の外周面を摺接する筒状の軟質材によって成形された摺動部材を使用することを最も主要な特徴とする。
【発明の効果】
【００１２】
本発明は以上説明したように構成されているので、以下に記載されるような効果を奏する。
【００１３】
摺動部材を内筒部材とハカマ部材の間に挿入する場合には、Ｏリングを収納する溝の設計、加工は必要なく、繰り出し式棒状化粧品収納容器を組み立てる際に、内筒部材、皿部材、ラセン部材、摺動部材をセットしただけで摺動部材の効果の確認をすることができ、そのため繰り出しトルクを安定させるという効果の確認に手間取ることがなく、さらに繰り出しトルクが安定していなかった場合にも、ハカマ部材がセットされていないので手直しすることが容易である。
【００１４】
摺動部材を内筒部材とラセン部材の間に挿入する場合のように、摺動部材の厚みだけラセン部材が太くなってしまい、それにともなってハカマ部材も太くなってしまうことでデザイン的に見苦しいものになってしまうということがない。
【発明を実施するための最良の形態】
【００１５】
内蔵された棒状化粧品を繰り出すために内筒部材とハカマ部材を回動させるが、その繰り出しトルクを安定させるという目的を、下部は前記ラセン部材の係止突片に係止され上部内面は内筒部材の外周面を摺接する筒状の軟質材によって成形された摺動部材を使用するということで実現した。
【実施例１】
【００１６】
以下、図面に示す実施例により本発明を詳細に説明する。
図１ないし図３に示す発明の第１の実施例において、１は内筒部材でこの内筒部材１は両端が開口された筒状に形成され、中央には外方へ向いた環状凸部２を有し下方部には軸芯方向の切り割り溝３が形成されている。
【００１７】
４はラセン部材で、このラセン部材４は合成樹脂材によって円筒形状に形成され、内筒部材１の下部を回動可能に覆い、さらに内筒部材１の切り割り溝３と対応する部位の内面にはラセン溝５が形成されている。
【００１８】
さらにこのラセン部材４は、その上端部より上方に突出する複数個の係止突片６が一体に設けられ、この係止突片６内には前記内筒部材１の環状凸部２と対応する位置に環状凹部７が形成され、この環状凹部７内に内筒部材１の環状凸部２が入り込むことで、内筒部材１とラセン部材４を回動可能ではあるが抜け出し不能としている。
【００１９】
８は前記ラセン部材４の上部に係止されるゴムあるいは軟質プラスチック材によって筒状に成形された摺動部材で、この摺動部材８の下部はラセン部材４の係止突片６に覆い被さるように取り付けられ、容易には外れないように係止突片６に係止されるもので、さらに係止突片６と回動もしない程度の寸法にしておいて係止突片６外周に冠着させるようにしておく。
【００２０】
その手段として、摺動部材８の下部内面に形成した内リブ９と、それと対応する部位の係止突片６の上部外面に形成した外リブ１０を対応させることで摺動部材８と係止突片６は容易には外れない構造とされている。
【００２１】
さらにこの摺動部材８の上部内面には内筒部材１の外周面に摺接する摺接部１１が形成されているもので、この摺動部材８の摺接部１１内径は自然状態の時にはそれと対応する部位の内筒部材１外径よりも小さくなるように形成されていて、組付けをした後では内筒部材１によって若干押し広げられるように構成されているものであり、このように構成することで摺動部材８の摺動部１１には常に縮径方向の力が発生することになり、内筒部材１とラセン部材４の回動に摺動部材８がブレーキを掛けるように作用させている。
【００２２】
１２は棒状化粧品１３を収納保持した皿部材で、この皿部材１２は前記内筒部材１内に上下移動可能に取り付けられているもので、この皿部材１２の下方には内筒部材１の切り割り溝３およびラセン部材４のラセン溝５と係合する係合ピン１４が形成され、内筒部材１とラセン部材４を回動させることによって皿部材１２を内筒部材１内で上下移動させることができるように構成されている。
【００２３】
１５はラセン部材４の外周を抜け出し不能に覆うハカマ部材で、このハカマ部材１５は、上部には蓋嵌合部１６が形成された蓋嵌合部材１７とハカマ１８より構成され、さらにこのハカマ部材１５の下部内面には前記ラセン部材４に形成された係止部１９と係合してラセン部材４を回動不能および抜け出し不能に係止する係止リブ２０が形成されている。なお、蓋嵌合部材１７とハカマ１５は一部品で構成されているものであっても良い。
【００２４】
２１は前記ハカマ部材１５に形成された蓋嵌合部１６と着脱自在に嵌合する蓋である。
【００２５】
このように構成された口紅等の収納容器２５を組み立てる工程として、まず内筒部材１の下部よりラセン部材４をセットし、皿部材１２を内筒部材１の下部よりセットし、その後で内筒部材１の上部より摺動部材８をラセン部材４にセットすることで作動状態が確認できるようになり、仮に作動トルクが安定していないなど作動状態が良好でなかった場合にはこの時点で組立を中止することができ、部品交換などの良化処置を施すことができるものであり、次に作動状態が良好であったものはハカマ部材１５をセットすることで口紅等の収納容器２５の組み立てが完了する。
【実施例２】
【００２６】
次に本発明の異なる実施例につき説明する。なお、これらの説明にあたって前記発明の第１の実施例と同一構成部分には同一符号を付して重複する説明を省略する。
【００２７】
図４ないし図６に示す発明の第２の実施例において、前記発明の第１の実施例と主に異なる点は摺動部材８Ａで、この摺動部材８Ａには下方内面に内突起２２が形成されている。
【００２８】
このうち内突起２２は摺動部材８Ａをラセン部材４にセットした際には、それぞれの突片６の間に入るように形成されているもので、このように構成することでラセン部材４の係止突片６と摺動部材８Ａとは確実に回動することがなくなるものであり、このように構成された口紅等の収納容器２５Ａとしても良い。
【実施例３】
【００２９】
図７および図８に示す発明の第３の実施例において、前記発明の第２の実施例と主に異なる点は摺動部材８Ｂで、この摺動部材８Ｂは実施例１および実施例２の説明では摺動部材８、８Ａの上部の外周はハカマ部材１５の影響を受けないように、ハカマ部材１５の内面には接触しないような寸法及び形状としておくのがよいものではあるが、それとは逆に摺動部材８Ｂの上部の外面にハカマ部材１５の内面に接触する接触部２３を形成したもので、この接触部２３がハカマ部材１５に接触することで摺動部材８Ｂの上部内面の摺動部１１が内筒部材１の外周面をより強く摺接し、それによってより大きなブレーキを掛けることができるものであり、このように構成された口紅等の収納容器２５Ｂとしても良い。
【産業上の利用可能性】
【００３０】
繰り出しトルクを安定させることができ、同じ部品構成とすることによって、他の繰り出し式棒状化粧品収納容器にも適用できる。
【図面の簡単な説明】
【００３１】
【図１】発明の断面説明図である。（実施例１）
【図２】発明の主要部品の斜視図である。（実施例１）
【図３】発明の主要部品の斜視図である。（実施例１）
【図４】発明の断面説明図である。（実施例２）
【図５】発明の主要部品の斜視図である。（実施例２）
【図６】発明の主要部品の斜視図である。（実施例２）
【図７】発明の断面説明図である。（実施例３）
【図８】発明の主要部品の斜視図である。（実施例３）
【符号の説明】
【００３２】
１    内筒部材
２    環状凸部
３    切り割り溝
４    ラセン部材
５    ラセン溝
６    係止突片
７    環状凹部
８、８Ａ、８Ｂ    摺動部材
９  内リブ
１０  外リブ
１１  摺接部
１２  皿部材
１３  棒状化粧品
１４  係合ピン
１５  ハカマ部材
１６  蓋嵌合部
１７  蓋嵌合部材
１８  ハカマ
１９  係止部
２０  係止リブ
２１  蓋
２２  内突起
２３  接触部
２５、２５Ａ、２５Ｂ  口紅等の収納容器
【図１】
2007175285.tif 000003
【図２】
2007175285.tif 000004
【図３】
2007175285.tif 000005
【図４】
2007175285.tif 000006
【図５】
2007175285.tif 000007
【図６】
2007175285.tif 000008
【図７】
2007175285.tif 000009
【図８】
2007175285.tif 000010